(57)【要約】【課題】色再現性を向上させる。【解決手段】カラーホイール３５は、ＲＧＢ色の原色フィルタが均等に配置され、各原色フィルタ間に中間色フィルタが配置されるように構成される。時分割駆動回路３９は、カラーホイール３５から出射される光の色と対応して同じ色となるような信号を空間光変調器３１に供給して、空間光変調器３１を駆動制御する。時分割駆動回路３９は、制御部１４によって指定された表示制御に従って空間光変調器３１を駆動制御する。原色フィルタの間に中間色フィルタが配置されるので、投影部１３は、原色と中間色との混色期間において、この混色を出射するので、色再現性が良好となる。【選択図】図２
2006267926.tif 000002
【特許請求の範囲】
【請求項１】
画像を投影面に投影する投影装置において、
光を発する光源と、
投射された光の色を複数の原色に分解する複数の原色フィルタが配置され、前記原色フィルタと前記原色フィルタとの間に両原色の中間色の中間色フィルタが配置され、前記各原色フィルタ及び前記各中間色フィルタに前記光源からの光が投射されて、前記各原色及び前記各中間色の光を、順次、出射するフィルタ部と、
前記フィルタ部から出射された出射光を前記投影面に投光して前記画像を投影するように駆動制御される空間光変調部と、
前記投影面に投影する画像を生成するための複数の原色信号が供給され、供給された各原色信号と前記フィルタ部の出射光の各原色とが対応するように前記原色信号を前記空間光変調部に供給して、前記空間光変調部を駆動制御する表示駆動部と、を備えた、
ことを特徴とする投影装置。
【請求項２】
前記表示駆動部は、前記原色と前記中間色との混色の光が前記フィルタ部から出射される混色期間において、前記供給された複数の原色信号に基づいて輝度信号を生成し、生成した輝度信号を前記空間光変調部に供給して前記空間光変調部を駆動制御する、
ことを特徴とする請求項１に記載の投影装置。
【請求項３】
前記表示駆動部は、前記原色と前記中間色との混色の光が前記フィルタ部から出射される混色期間において、前記原色と前記中間色のうち、前記混色の混色比が高い方の色の信号を前記空間光変調部に供給して前記空間光変調部を駆動制御する、
ことを特徴とする請求項１に記載の投影装置。
【請求項４】
前記表示駆動部は、前記原色と前記中間色との混色の光が前記フィルタ部から出射される混色期間において、前記中間色の光の信号を前記空間光変調部に供給して前記空間光変調部を駆動制御する、
ことを特徴とする請求項１に記載の投影装置。
【請求項５】
前記表示駆動部は、前記原色と前記中間色との混色の光が前記フィルタ部から出射される混色期間において、前記原色に対応する原色信号を前記空間光変調部に供給して前記空間光変調部を駆動制御する、
ことを特徴とする請求項１に記載の投影装置。
【発明の詳細な説明】
【技術分野】
【０００１】
本発明は、投影装置に関するものである。
【背景技術】
【０００２】
投影装置として、カラーホイールと空間光変調器を備えたプロジェクタがある（例えば、特許文献１参照）。
【０００３】
従来のプロジェクタのカラーホイールは、図９に示すように、Ｒ（赤）、Ｇ（緑）、Ｂ（青）、Ｗ（白）色のフィルタが周方向に配置されたものである。
【０００４】
プロジェクタは、このカラーホイールを回転させ、カラーホイールは、図１０（ａ）に示すように、光源が発する光をＲＧＢの原色に分解し、分解した原色の光を時分割して出射する。
【０００５】
カラーホイールの出射光による照明光束は、一定の面積を有するため、出射光の原色は、図１０（ｂ）に示すように、各フィルタの境界において、混ざり合う。
【０００６】
従来のプロジェクタは、このような照明光束に対して図１０（ｃ）に示すような表示制御を行う。即ち、従来のプロジェクタは、ＲＧＢ信号を各出射光のＲＧＢ成分に対応させて空間光変調器に供給する。また、プロジェクタは、出射光の原色が混ざり合う混色期間では、Ｗ色、即ち、輝度信号を空間光変調器に供給して、輝度を高めている。尚、色純度を高める場合、従来のプロジェクタは、混色期間において、黒色を表示するための黒表示信号を空間変調器に供給する。
【特許文献１】特開２０００−２４５８８６号公報（第１６頁、図１）
【発明の開示】
【発明が解決しようとする課題】
【０００７】
また、従来のプロジェクタでは、色合いを低下させないために、Ｗの区間を制御するようにしていた。しかし、このような制御を行うと、その分ＲＧＢとして制御する区間が少なくなり、色合いを表現する区間が減少し、色再現性が低下してしまうといった問題が生じる。
【０００８】
また、従来のプロジェクタでは、Ｗのセグメントを有する場合、白い部分が強調されすぎて、投影される画像の色がくすんで見えてしまうという現象があった。
【０００９】
本発明は、このような従来の問題点に鑑みてなされたもので、色再現性を向上させることが可能な投影装置を提供することを目的とする。
【課題を解決するための手段】
【００１０】
この目的を達成するため、本発明の第１の観点に係る投影装置は、
画像を投影面に投影する投影装置において、
光を発する光源と、
投射された光の色を複数の原色に分解する複数の原色フィルタが配置され、前記原色フィルタと前記原色フィルタとの間に両原色の中間色の中間色フィルタが配置され、前記各原色フィルタ及び前記各中間色フィルタに前記光源からの光が投射されて、前記各原色及び前記各中間色の光を、順次、出射するフィルタ部と、
前記フィルタ部から出射された出射光を前記投影面に投光して前記画像を投影するように駆動制御される空間光変調部と、
前記投影面に投影する画像を生成するための複数の原色信号が供給され、供給された各原色信号と前記フィルタ部の出射光の各原色とが対応するように前記原色信号を前記空間光変調部に供給して、前記空間光変調部を駆動制御する表示駆動部と、を備えたことを特徴とする。
【００１１】
前記表示駆動部は、前記原色と前記中間色との混色の光が前記フィルタ部から出射される混色期間において、前記供給された複数の原色信号に基づいて輝度信号を生成し、生成した輝度信号を前記空間光変調部に供給して前記空間光変調部を駆動制御するようにしてもよい。
【００１２】
前記表示駆動部は、前記原色と前記中間色との混色の光が前記フィルタ部から出射される混色期間において、前記原色と前記中間色のうち、前記混色の混色比が高い方の色の信号を前記空間光変調部に供給して前記空間光変調部を駆動制御するようにしてもよい。
【００１３】
前記表示駆動部は、前記原色と前記中間色との混色の光が前記フィルタ部から出射される混色期間において、前記中間色の光の信号を前記空間光変調部に供給して前記空間光変調部を駆動制御するようにしてもよい。
【００１４】
前記表示駆動部は、前記原色と前記中間色との混色の光が前記フィルタ部から出射される混色期間において、前記原色に対応する原色信号を前記空間光変調部に供給して前記空間光変調部を駆動制御するようにしてもよい。
【発明の効果】
【００１５】
本発明によれば、色再現性を向上させることができる。
【発明を実施するための最良の形態】
【００１６】
以下、本発明の実施形態に係る投影装置を図面を参照して説明する。尚、本実施形態では、投影装置をプロジェクタとして説明する。
【００１７】
本実施形態に係るプロジェクタ１の構成を図１に示す。
本実施形態に係るプロジェクタ１は、スクリーン２に画像を投影するものであり、データ処理部１１と、スピーカ１２と、投影部１３と、制御部１４と、からなる。
【００１８】
データ処理部１１は、供給された画像データ、音声データを処理して、スクリーン２に投影する画像のデータを生成し、音声信号を生成するためのものである。データ処理部１１は、入出力インタフェース２１と、画像処理部２２と、画像記憶部２３と、音声処理部２４と、ビデオＲＡＭ２５と、表示エンコーダ２６と、を備える。
【００１９】
入出力インタフェース２１は、画像データ、音声データを入出力するものである。
画像処理部２２は、供給された画像データを所定のフォーマットのデータに変換するものである。また、画像処理部２２は、制御部１４からスクリーン２の傾斜角度のデータが供給され、供給されたデータに基づいて台形補正等の画像処理を行う。
【００２０】
画像記憶部２３は、例えば、フラッシュメモリ等によって構成され、画像処理部２２が画像処理した画像データ等を記憶するものである。
【００２１】
音声処理部２４は、ＰＣＭ音源等の音源回路を備え、供給された音声データをアナログ化して、音声信号をスピーカ１２に出力するものである。
【００２２】
ビデオＲＡＭ２５は、画像データを記憶するためのものである。
表示エンコーダ２６は、受信した画像データをビデオＲＡＭ２５に一時記憶して、画像データをＲＧＢ信号に変換するものである。表示エンコーダ２６は、生成したＲＧＢ信号を投影部１３に供給する。
【００２３】
スピーカ１２は、データ処理部１１の音声処理部２４から供給された音声信号に基づいて音声を出力するものである。
【００２４】
投影部１３は、データ処理部１１からの画像データに基づいて画像を投影するものであり、図２に示すように、空間光変調器３１と、光源ランプ３２と、リフレクタ３３と、ミラートンネル３４と、カラーホイール３５と、カラーホイールモータ３６と、カラーホイール制御部３７と、光センサ３８と、時分割駆動回路３９と、光源レンズ４０と、投影レンズ４１と、からなる。
【００２５】
空間光変調器３１は、複数のマイクロミラー（図示せず）によって構成されたものである。各マイクロミラーは、１０〜２０μｍ程度の例えばアルミニウム片からなるものであり、受光した光を反射する。空間光変調器３１は、このマイクロミラー素子を行列方向に配列して形成され、時分割駆動回路３９によって駆動制御されて、各マイクロミラーを傾斜させることにより、カラーホイール３５から出射された出射光をスクリーン２に投光する。
【００２６】
光源ランプ３２は、白色光を発するものである。
リフレクタ３３は、光源ランプ３２が発する光をミラートンネル３４方向に反射するものである。
【００２７】
ミラートンネル３４は、光源ランプ３２が発した白色光を内面で反射することにより、その光分布を均一にしつつ、白色光をカラーホイール３５へと導くためのものである。
【００２８】
カラーホイール３５は、投光された光の色の原色として、ＲＧＢ色に分解する複数の原色フィルタと、原色フィルタと原色フィルタとの間に両原色の中間色の中間色フィルタと、が配置されたものである。
【００２９】
カラーホイール３５は、図３に示すように、円盤状のものであり、６つのフィルタ３５Ｒ，３５Ｙ，３５Ｇ，３５Ｃ，３５Ｂ，３５Ｍが周方向に配置される。フィルタ３５Ｒ，３５Ｇ，３５Ｂは、それぞれ、投光された光を、図４（ａ）〜（ｃ）に示すような赤（Ｒ；Ｒｅｄ）色、緑（Ｇ；Ｇｒｅｅｎ）色、青（Ｂ；Ｂｌｕｅ）色の３原色に分解する原色（成分）フィルタである。フィルタ３５Ｒ，３５Ｇ，３５Ｂは、いずれもカラーホイール３５の中心に対し、６０°の角度を有し、均等に配置される。
【００３０】
フィルタ３５Ｙは、フィルタ３５Ｇ，３５Ｒとの間に配置され、両フィルタが分解するＧ色とＲ色との補色Ｙ（イエロー）を中間色とする中間色（補色）フィルタである。フィルタ３５Ｃは、フィルタ３５Ｇ，３５Ｂの間に配置され、両フィルタが分解するＢ色とＧ色との補色Ｃ（シアン）を中間色とする中間色フィルタである。フィルタ３５Ｍは、フィルタ３５Ｂ，３５Ｒの間に配置され、両フィルタが分解するＢ色とＲ色との補色（マゼンタ）を中間色とする中間色フィルタである。
【００３１】
カラーホイール３５のフィルタ３５Ｒ，３５Ｍの間には、孔３５ａが設けられる。この孔３５ａは、各フィルタ３５Ｒ，３５Ｙ，３５Ｇ，３５Ｃ，３５Ｂ，３５Ｍの位置検出用のものである。
【００３２】
このカラーホイール３５は、回転して各フィルタに光源ランプ３２からの光が投射される。図５は、光源ランプ３２の投射された光の光スポットＳＰを示す。カラーホイール３５の中心に対するこの光スポットＳＰの大きさを角度αで表す。
【００３３】
そして、カラーホイール３５は、分解したＲＧＢ色の光を、順次、空間光変調器３１へと出射する。カラーホイールモータ３６は、カラーホイール３５を回転するためのものである。
【００３４】
カラーホイール制御部３７は、カラーホイールモータ３６を介してカラーホイール３５の回転速度を制御するものである。カラーホイール制御部３７は、時分割駆動回路３９から、ＲＧＢＹＭＣの各信号とのタイミングを示すタイミング信号が供給され、供給されたタイミング信号に従ってカラーホイールモータ３６を回転駆動する。
【００３５】
光センサ３８は、フォトカプラによって構成されたものであり、各フィルタ３５Ｒ，３５Ｙ，３５Ｇ，３５Ｃ，３５Ｂ，３５Ｍの位置を検出するためのものである。光センサ３８は、カラーホイール３５に設けられた孔３５ａを通る光を検知して、光検知信号を時分割駆動回路３９に供給する。
【００３６】
時分割駆動回路３９は、表示エンコーダ２６から供給されたＲＧＢ信号を時分割して空間光変調器３１に供給し、空間光変調器３１を駆動制御するものである。
【００３７】
時分割駆動回路３９は、表示エンコーダ２６から供給されたＲＧＢ信号に対して演算を行って、輝度信号とＹＭＣ信号とを生成し、これらの信号を時分割する。
【００３８】
また、時分割駆動回路３９は、光センサ３８から光検知信号が供給されて、カラーホイール３５における光スポットＳＰの存在位置を取得する。時分割駆動回路３９は、光スポットＳＰがカラーホイール３５の原色フィルタ３５Ｒ，３５Ｇ，３５Ｂのいずれかの領域に存在する期間では、カラーホイール３５が出射する光のＲＧＢ色と対応するように、時分割したＲＧＢ信号を空間光変調器３１に供給する。
【００３９】
また、時分割駆動回路３９は、光スポットＳＰがカラーホイール３５の中間色フィルタ３５Ｙ，３５Ｍ，３５Ｃのいずれかの領域に存在する期間では、カラーホイール３５が出射する光のＹＭＣ色と対応するように、時分割したＹＭＣ信号を空間光変調器３１に供給する。
【００４０】
光スポットＳＰがカラーホイール３５の原色フィルタと中間色フィルタとの領域に存在する期間は、原色と中間色とが混じり合う混色期間であり、この混色期間では、時分割駆動回路３９は、図６に示すように、４つの表示制御１〜４のうちのいずれかの表示制御を行う。
【００４１】
尚、図６において、時刻ｔ１になるまでは、光源ランプ３２がミラートンネル３４を介してカラーホイール３５のフィルタ３５Ｒの領域に光を投射する期間であり、カラーホイール３５が空間光変調器３１に出射する照明光束の色がＲ色となる期間とする。
【００４２】
また、時刻ｔ３〜ｔ４，ｔ６〜ｔ７，ｔ９〜ｔ１０，ｔ１２〜ｔ１３，ｔ１５〜ｔ１６は、それぞれ、照明光束がＹ，Ｇ，Ｃ，Ｂ，Ｍ色となる期間である。時刻ｔ１〜ｔ３，ｔ４〜ｔ６，ｔ７〜ｔ９，ｔ１０〜ｔ１２，ｔ１３〜ｔ１５は、それぞれ、照明光束として、Ｒ色とＹ色、Ｙ色とＧ色、Ｇ色とＣ色、Ｃ色とＢ色、Ｂ色とＭ色が混色になる混色期間である。時刻ｔ２、ｔ５，ｔ８，ｔ１１，ｔ１４は、光源ランプ３２が２つのフィルタの領域に光を等しく投射して、２つの色の混色比が等しくなる時刻である。
【００４３】
表示制御１は、投影画像の輝度を高めるための制御であり、時分割駆動回路３９は、混色期間において、生成したＷ色の輝度信号を空間光変調器３１に供給して空間光変調器３１を駆動制御する。
【００４４】
表示制御２〜４は、色合いを強調するための制御である。このうち、表示制御２は、原色と中間色とを等しく強調するための制御である。時分割駆動回路３９は、表示制御２において、原色と中間色のうち、混色比が高い方の色の信号を空間光変調器３１に供給して空間光変調器３１を駆動制御する。
【００４５】
表示制御３は、中間色を強調するための制御であり、時分割駆動回路３９は、混色期間において、中間色の信号を空間光変調器３１に供給して空間光変調器３１を駆動制御する。
【００４６】
表示制御４は、原色を強調するための制御であり、時分割駆動回路３９は、混色期間において、原色の信号を空間光変調器３１に供給して空間光変調器３１を駆動制御する。時分割駆動回路３９は、例えば３０フレーム／秒のフレームレートで空間光変調器３１を駆動制御する。
【００４７】
光源レンズ４０は、カラーホイール３５から出射された光を空間光変調器３１に集光するためのものである。
【００４８】
投影レンズ４１は、空間光変調器３１が投光した光による画像をスクリーン２上に結像させるためのものである。
【００４９】
制御部１４は、プロジェクタ１全体を制御するものであり、ＣＰＵと、ＲＯＭと、ＲＡＭと、を備える（図示せず）。ＣＰＵは、プロジェクタ１の各部を制御するためのものであり、ＲＯＭは、ＣＰＵが制御に用いるプログラム等を記憶するメモリであり、ＲＡＭは、ＣＰＵの動作に必要なデータ等を記憶するためのメモリである。
【００５０】
制御部１４は、表示制御１〜４のいずれかを行うように、投影部１３の時分割駆動回路３９を制御する。
【００５１】
次に本実施形態に係るプロジェクタ１の動作を説明する。
画像データ、音声データは、入出力インタフェース２１に供給される。音声処理部２４は、供給された音声データをアナログ化して、音声信号をスピーカ１２に出力する。スピーカ１２は、供給された音声信号に基づいて音声を出力する。
画像処理部２２は、供給された画像データを所定のフォーマットのデータに変換し、画像記憶部２３に、変換した画像データを記憶する。
【００５２】
ビデオＲＡＭ２５は、画像データを記憶するためのものである。
表示エンコーダ２６は、画像データを画像記憶部２３から読み出して、ビデオＲＡＭ２５に一時記憶し、一時記憶した画像データをＲＧＢ信号に変換する。表示エンコーダ２６は、生成したＲＧＢ信号を投影部１３に供給する。
【００５３】
投影部１３の時分割駆動回路３９は、供給されたＲＧＢ信号に対して演算を行って輝度信号を生成し、ＲＧＢ信号と輝度信号とを時分割する。
【００５４】
また、時分割駆動回路３９は、光センサ３８から光検知信号が供給されて、カラーホイール３５の位置を判別する。
【００５５】
制御部１４は、表示制御１〜４のうちのいずれかを行うように時分割駆動回路３９を制御する。
【００５６】
投影画像の輝度を高める場合、制御部１４は、表示制御１を行うように時分割駆動回路３９を制御する。
【００５７】
時分割駆動回路３９は、表示制御１を実行し、時刻ｔ１になるまでは、Ｒ色の信号を空間光変調器３１に供給して空間光変調器３１を駆動制御する。
【００５８】
時刻ｔ１になると、時分割駆動回路３９は、図７（ｃ）に示すように、生成したＷ色の輝度信号を空間光変調器３１に供給して空間光変調器３１を駆動制御する。
【００５９】
混色期間である時刻ｔ１〜ｔ３において、カラーホイール３５が出射する出射光の照明光束として、Ｒ色の照明光束は、図７（ｂ）に示すように、徐々に弱まり、Ｙ色の照明光束は徐々に強まる。投影部１３の投影光の色は、図７（ｃ）に示すように、照明光束と同じように変化し、Ｒ色が徐々に弱まり、Ｙ色が徐々に強まる。
【００６０】
Ｙ色は、Ｒ色とＧ色との合成色であるので、この混色期間において、Ｒ色とＹ色とが混色したとしても、投影光の色は、Ｒ色からＹ色に滑らかに変化し、しかも、投影画像の輝度は高まる。
【００６１】
時刻ｔ３になると、時分割駆動回路３９は、カラーホイール３５の出射色の光のＹ色に対応するように、生成したＹ色の信号を空間光変調器３１に供給する。
【００６２】
図８（ｃ）に示すように、時刻ｔ４になると、時分割駆動回路３９は、生成したＷ色の輝度信号を空間光変調器３１に供給して空間光変調器３１を駆動制御する。
【００６３】
図８（ｂ）に示すように、Ｙ色とＧ色との混色期間である時刻ｔ４〜ｔ６において、Ｙ色の照明光束は、徐々に弱まり、Ｇ色の照明光束は徐々に強まる。
【００６４】
この混色期間において、時分割駆動回路３９は、図８（ｃ）に示すように、生成したＷ色の輝度信号を空間光変調器３１に供給して空間光変調器３１を駆動制御する。投影光の色は、図８（ｄ）に示すように、Ｙ色とＧ色との混色になる。
【００６５】
前述のように、Ｙ色は、Ｒ色とＧ色との合成色であるので、この混色期間において、Ｙ色とＧ色とが混色したとしても、投影光の色は、Ｙ色からＧ色に滑らかに変化し、しかも、投影画像の輝度は高まる。
【００６６】
時刻ｔ６になると、時分割駆動回路３９は、図８（ｃ）に示すように、Ｇ色の信号を空間光変調器３１に供給する。
【００６７】
図６（ｂ）に示すように、照明光束がＧ色となる時刻ｔ６〜ｔ７の期間において、時分割駆動回路３９は、Ｇ色の信号を空間光変調器３１に供給して空間光変調器３１を駆動制御する。
【００６８】
Ｇ色とＣ色との混色期間である時刻ｔ７〜ｔ９において、時分割駆動回路３９は、生成したＷ色の輝度信号を空間光変調器３１に供給して空間光変調器３１を駆動制御する。
【００６９】
照明光束がＣ色となる時刻ｔ９〜ｔ１０において、時分割駆動回路３９は、生成したＣ色の信号を空間光変調器３１に供給して空間光変調器３１を駆動制御する。
【００７０】
Ｃ色とＢ色との混色期間である時刻ｔ１０〜ｔ１２において、時分割駆動回路３９は、生成したＷ色の輝度信号を空間光変調器３１に供給して空間光変調器３１を駆動制御する。
【００７１】
照明光束がＢ色となる時刻ｔ１２〜ｔ１３において、時分割駆動回路３９は、Ｂ色の信号を空間光変調器３１に供給して空間光変調器３１を駆動制御する。
【００７２】
Ｂ色とＭ色との混色期間である時刻ｔ１３〜ｔ１５において、時分割駆動回路３９は、生成したＷ色の輝度信号を空間光変調器３１に供給して空間光変調器３１を駆動制御する。
【００７３】
次に、色合いを強調する場合、制御部１４は、図６（ｄ）〜（ｆ）に示すように、表示制御２〜４のいずれかを行うように時分割駆動回路３９を制御する。
【００７４】
原色と中間色を等しく強調する場合、制御部１４は、表示制御２を実行するように時分割駆動回路３９を制御する。この場合、時分割駆動回路３９は、混色期間が始まる時刻ｔ１から、混色の混色比が高いＲ色のＲ信号を空間光変調器３１に供給する。
【００７５】
カラーホイール３５の回転に伴い、Ｒ色は弱まり、Ｙ色は強まる。時刻ｔ２になって、Ｒ色とＹ色との混色比が等しくなると、時分割駆動回路３９は、生成したＹ色の信号を空間光変調器３１に供給して空間光変調器３１を駆動制御する。
【００７６】
混色期間である時刻ｔ１〜ｔ３において、時分割駆動回路３９は、空間光変調器３１に輝度信号を供給しないので、色合いが強調される。また、Ｙ色は、Ｒ色とＧ色との合成色なので、この混色期間において、投影画像の色は、Ｒ色からＹ色を経てＧ色へと滑らかに変化する。
【００７７】
時刻ｔ３以降、時分割駆動回路３９は、Ｇ、Ｃ、Ｂ、Ｍ色についても、同様に、信号を空間光変調器３１に供給して空間光変調器３１を駆動制御する。
【００７８】
次に、図６（ｅ）に示すように、中間色を強調する場合、制御部１４は、表示制御３を実行するように時分割駆動回路３９を制御する。この場合、時分割駆動回路３９は、混色期間が始まる時刻ｔ１から、生成したＹ色の信号を空間光変調器３１に供給して空間光変調器３１を駆動制御する。
【００７９】
時刻ｔ３以降、時分割駆動回路３９は、Ｇ、Ｃ、Ｂ、Ｍ色についても、同様に、信号を空間光変調器３１に供給して空間光変調器３１を駆動制御する。
【００８０】
次に、図６（ｆ）に示すように、原色を強調する場合、制御部１４は、表示制御４を実行するように時分割駆動回路３９を制御する。この場合、時分割駆動回路３９は、混色期間ｔ１〜ｔ３においても、Ｒ色の信号を空間光変調器３１に供給して空間光変調器３１を駆動制御する。
【００８１】
混色期間が終わる時刻ｔ３になると、時分割駆動回路３９は、生成したＹ色の信号を空間光変調器３１に供給して空間光変調器３１を駆動制御する。時刻ｔ３以降、時分割駆動回路３９は、Ｇ、Ｃ、Ｂ、Ｍ色についても、同様に、信号を空間光変調器３１に供給して空間光変調器３１を駆動制御する。
【００８２】
分光特性により、白、赤、緑、青の輝度値を、それぞれ、ｗ，ｒ，ｇ，ｂ（ｗ＝ｒ＋ｇ＋ｂ）として、３６０°（全面）白であった時の輝度値を１とすると、従来のプロジェクタ（４セグメント）では、ｗ／４＝１／４、ｒ／４＋ｇ／４＋ｂ／４＝（ｒ＋ｇ＋ｂ）／４＝１／４となるので、３６０°での合計輝度値は、ｗ／４＋ｒ／４＋ｇ／４＋ｂ／４＝１／４＋１／４＝１／２となる。
【００８３】
これに対して、本実施形態に係るプロジェクタ１では、Ｙ、Ｍ、Ｃ色の輝度値を、それぞれ、ｙ，ｍ，ｃとすると、（ｒ＋ｇ＋ｂ）／６＝１／６、（ｙ＋ｍ＋ｃ）／６＝２×（ｒ＋ｇ＋ｂ）／６＝２／６＝１／３となるので、３６０°での合計輝度値は、ｒ／６＋ｇ／６＋ｂ／６＋ｙ／６＋ｍ／６＋ｃ／６＝１／６＋１／３＝１／２となり、本実施形態に係るプロジェクタ１における輝度値は、従来のプロジェクタにおける輝度値と同じになる。
【００８４】
以上説明したように、本実施形態によれば、カラーホイール３５においてＲＧＢ色のフィルタ３５Ｒ，３５Ｇ，３５Ｂの原色フィルタを均等に配置し、各原色フィルタ間に、代表的な中間色である補色フィルタ３５Ｃ，３５Ｍ，３５Ｙを配置するようにした。
【００８５】
従って、混色区間であっても隣り合う色が互いに同一色成分を持つので、混色領域を投影した場合、従来例と比べて色合いが向上していると同時に、前述の通り、従来例の４セグメントカラーホイールと同等の輝度を保っている。又、混色領域の色合いを合計すると丁度Ｗとなり、色合いのバランスもとれている。以上より、色再現性が向上している。
【００８６】
また、高輝度表示から高色純度表示まで、容易にリニア制御することができ、色再現性を良好にすることができる。
【００８７】
尚、本発明を実施するにあたっては、種々の形態が考えられ、上記実施の形態に限られるものではない。
例えば、上記実施の形態では、表示制御１を実行する場合、時分割駆動回路３９は、混色期間でＷ色の輝度信号を空間光変調器３１に供給するようにした。しかし、時分割駆動回路３９は、混色期間で黒色の信号を空間光変調器３１に供給するようにしてもよい。
【００８８】
上記実施形態では、投影装置をプロジェクタとして説明した。しかし、投影装置は、これに限られるものではなく、例えば、動画用の映写装置、写真現像装置であってもよい。
【図面の簡単な説明】
【００８９】
【図１】本発明の実施形態に係るプロジェクタの構成を示すブロック図である。
【図２】図１に示す投影部の構成を示す図である。
【図３】図２に示すカラーホイールの各フィルタの配置を示す図である。
【図４】図３に示す各原色フィルタの分光特性を示す図である。
【図５】図２に示すカラーホイールに出射される光スポットを示す図である。
【図６】図２に示す時分割駆動回路が実行する表示制御１〜４を示す図である。
【図７】図２に示す時分割駆動回路が実行する表示制御１の詳細（その１）を示す図である。
【図８】図２に示す時分割駆動回路が実行する表示制御１の詳細（その２）を示す図である。
【図９】従来のカラーホイールのフィルタの配置を示す図である。
【図１０】従来のプロジェクタが実行する表示制御を示す図である。
【符号の説明】
【００９０】
１・・・プロジェクタ、２・・・スクリーン、１４・・・制御部、３１・・・空間光変調器、３５・・・カラーホイール、３７・・・カラーホイール制御部、３８・・・光センサ、３９・・・時分割駆動回路
【図１】
2006267926.tif 000003
【図２】
2006267926.tif 000004
【図３】
2006267926.tif 000005
【図４】
2006267926.tif 000006
【図５】
2006267926.tif 000007
【図６】
2006267926.tif 000008
【図７】
2006267926.tif 000009
【図８】
2006267926.tif 000010
【図９】
2006267926.tif 000011
【図１０】
2006267926.tif 000012
【手続補正書】
【提出日】平成18年3月17日(2006.3.17)
【手続補正１】
【補正対象書類名】明細書
【補正対象項目名】０００６
【補正方法】変更
【補正の内容】
【０００６】
従来のプロジェクタは、このような照明光束に対して図１０（ｃ）に示すような表示制御を行う。即ち、従来のプロジェクタは、ＲＧＢ信号を各出射光のＲＧＢ成分に対応させて空間光変調器に供給する。また、プロジェクタは、出射光の原色が混ざり合う混色期間では、Ｗ色、即ち、輝度信号を空間光変調器に供給して、輝度を高めている。尚、色純度を高める場合、従来のプロジェクタは、混色期間において、黒色を表示するための黒表示信号を空間変調器に供給する。
【特許文献１】特開２００４−２４５８８６号公報（第１６頁、図１）